(57)【特許請求の範囲】
【請求項１】
静止保持された糸巻付部の周囲で糸巻付アームを周回させて前記糸巻付部上の糸巻付面に緯糸を巻き付け、前記糸巻付面と緯糸係止体との係脱作用により緯糸の測長貯留及び前記糸巻付面からの緯糸引き出し解舒を制御する緯糸測長貯留装置における風綿除去装置において、
前記糸巻付アームに対して前記糸巻付部側に設けられた空気流誘導部と、
前記糸巻付面に巻き付けられる緯糸の巻付軌跡及び前記糸巻付面から引き出し解舒される緯糸の解舒軌跡を横切ることなく前記空気流誘導部に向かう空気流を発生させる空気流発生手段とを備え、
前記空気流誘導部は、前記空気流誘導部内に導入された空気流を前記糸巻付面の包囲領域の中心側から周辺側へ誘導するようにした織機の緯糸測長貯留装置における風綿除去装置。
【請求項２】
前記空気誘導部は、前記空気流発生手段から吹き出される空気流を導入する導入口と、前記導入口へ吹き入れられた空気流を前記糸巻付面の包囲領域の中心側へ誘導する誘導通路と、前記誘導通路によって前記糸巻付面の包囲領域の中心側へ誘導された空気流を前記包囲領域の周辺側へ方向転換する方向転換手段とを備えている請求項１に記載の織機の緯糸測長貯留装置における風綿除去装置。
【請求項３】
前記糸巻付面は複数の糸巻付面形成体によって形成されており、前記各糸巻付面形成体は前記包囲領域の中心部から周辺部に至る間で取り付け位置変更可能であり、前記誘導通路の終端は前記包囲領域の中心部に位置している請求項２に記載の織機の緯糸測長貯留装置における風綿除去装置。
【請求項４】
前記方向転換手段は、前記誘導通路によって前記糸巻付面の包囲領域の中心側へ誘導された空気流を前記各糸巻付面形成体にのみ向けて方向転換する請求項２及び請求項３のいずれか１項に記載の織機の緯糸測長貯留装置における風綿除去装置。
【請求項５】
前記方向転換手段は、前記誘導通路の終端から吹き出される空気流の方向に配置された衝立を備えている請求項２乃至請求項４のいずれか１項に記載の織機の緯糸測長貯留装置における風綿除去装置。
【請求項６】
前記空気流発生手段は、圧力エアの圧力を利用して前記糸巻付アームの周回軌道を横切って前記空気流誘導部に空気流を吹き入れる請求項１乃至請求項５のいずれか１項に記載の織機の緯糸測長貯留装置における風綿除去装置。
【請求項７】
静止保持された糸巻付部の周囲で糸巻付アームを周回させて前記糸巻付部上の糸巻付面に緯糸を巻き付け、前記糸巻付面と緯糸係止体との係脱作用により緯糸の測長貯留及び前記糸巻付面からの緯糸引き出し解舒を制御する緯糸測長貯留装置における風綿除去装置において、
前記糸巻付部に設けられた空気流誘導部と、
前記糸巻付アームの周回中心軸線上かつ前記糸巻付面の包囲領域の中心部で前記糸巻付アームと一体的に回転するファンとを備え、
前記空気流誘導部は、前記ファンの回転によって発生された空気流を前記糸巻付面の包囲領域の中心側から周辺側へ誘導するようにした織機の緯糸測長貯留装置における風綿除去装置。
【請求項８】
前記空気流発生手段は、前記糸巻付アームと一体的に動く羽板である請求項１乃至請求項５のいずれか１項に記載の織機の緯糸測長貯留装置における風綿除去装置。
【発明の詳細な説明】
【０００１】
【発明の属する技術分野】
本発明は、静止保持された糸巻付部の周囲で糸巻付アームを周回させて前記糸巻付部上の糸巻付面に緯糸を巻き付け、前記糸巻付面と緯糸係止体との係脱作用により緯糸の測長貯留及び前記糸巻付面からの緯糸引き出し解舒を制御する緯糸測長貯留装置における風綿除去装置に関するものである。
【０００２】
【従来の技術】
前記糸巻付面の内側に堆積した風綿が糸巻付面から引き出される緯糸に付着すると、緯糸を射出緯入れする緯入れ用ノズル内に詰まったり、織り傷の原因となったりする。そのため、特開昭５８−５４０４３号公報に開示される装置では、緯糸を巻き付けるドラムの側方からドラム内にエアを吹き入れてドラム内の風綿を除去するようにしている。
【０００３】
【発明が解決しようとする課題】
ドラムに巻き付けられた緯糸が緯入れ用ノズルのエア噴射によって引き出し解舒されるときには、緯糸が旋回しながら引き出される。そのため、引き出し緯糸が前記ドラムの側方からドラム内に吹き入れられるエアの流れを横切ることになるが、引き出し緯糸に対して前記エアの流れが作用すると、緯入れ用ノズルから射出された緯糸の緯入れが不安定になり、緯入れミスが生じやすい。
【０００４】
本発明は、緯糸の緯入れ性を損なうことなく糸巻付面の内側における風綿堆積を防止することを目的とする。
【０００５】
【課題を解決するための手段】
そのために本発明は、静止保持された糸巻付部の周囲で糸巻付アームを周回させて前記糸巻付部上の糸巻付面に緯糸を巻き付け、前記糸巻付面と緯糸係止体との係脱作用により緯糸の測長貯留及び前記糸巻付面からの緯糸引き出し解舒を制御する緯糸測長貯留装置における風綿除去装置を対象とし、請求項１の発明では、前記糸巻付アームに対して前記糸巻付部側に設けられた空気流誘導部と、前記糸巻付面に巻き付けられる緯糸の巻付軌跡及び前記糸巻付面から引き出し解舒される緯糸の解舒軌跡を横切ることなく前記空気流誘導部に向かう空気流を発生させる空気流発生手段とを備えた風綿除去装置を構成し、前記空気流誘導部は、前記空気流誘導部内に導入された空気流を前記糸巻付面の包囲領域の中心側から周辺側へ誘導するようにした。
【０００６】
空気流発生手段からの空気流は、緯糸の巻付軌跡及び解舒軌跡を横切ることなく糸巻付面の内側に誘導され、糸巻付面の内側に誘導された空気流は糸巻付面の包囲領域の中心側から周辺側へ向かう。従って、緯糸の緯入れ性を損なうことなく糸巻付面の内側における風綿堆積が防止される。
【０００７】
請求項２の発明では、請求項１において、前記空気流発生手段から吹き出される空気流を導入する導入口と、前記導入口へ吹き入れられた空気流を前記糸巻付面の包囲領域の中心側へ誘導する誘導通路と、前記誘導通路によって前記糸巻付面の包囲領域の中心側へ誘導された空気流を前記包囲領域の周辺側へ方向転換する方向転換手段とを備えた前記空気誘導部を構成した。
【０００８】
このような空気誘導部は、前記空気流発生手段から吹き出される空気流を糸巻付面の包囲領域の中心側から周辺側へ円滑に誘導し、前記包囲領域内での風綿堆積が防止される。
【０００９】
請求項３の発明では、請求項２において、前記糸巻付面は複数の糸巻付面形成体によって形成されており、前記各糸巻付面形成体は前記包囲領域の中心部から周辺部に至る間で取り付け位置変更可能であり、前記誘導通路の終端は前記包囲領域の中心部に位置するようにした。
【００１０】
方向転換手段は誘導通路から包囲領域の中心部に吹き出す空気流を包囲領域の周辺側へ方向転換する。糸巻付面形成体の取り付け位置が変わっても、包囲領域の周辺側へ方向転換された空気流が糸巻付面形成体の内側への風綿堆積を防止する。
【００１１】
請求項４の発明では、請求項２及び請求項３のいずれか１項において、前記方向転換手段は、前記誘導通路によって前記糸巻付面の包囲領域の中心側へ誘導された空気流を前記各糸巻付面形成体にのみ向けて方向転換するようにした。
【００１２】
このように空気流を方向転換させる構成は、糸巻付面に巻き付けられた緯糸の巻き付け姿勢に対する空気流の作用の影響を抑制する。
請求項５の発明では、請求項２乃至請求項４のいずれか１項において、前記誘導通路の終端から吹き出される空気流の方向に配置された衝立を備えた前記方向転換手段を構成した。
【００１３】
誘導通路から吹き出した空気流は衝立に当たって方向転換する。このような衝立を備えた方向転換手段は簡便である。
請求項６の発明では、請求項１乃至請求項５のいずれか１項において、前記空気流発生手段は、圧力エアの圧力を利用して前記糸巻付アームの周回軌道を横切って前記空気流誘導部に空気流を吹き入れるようにした。
【００１４】
圧力エアの圧力を利用して生成される空気流の流速、流量の選択自由度は高い。
請求項７の発明では、静止保持された糸巻付部の周囲で糸巻付アームを周回させて前記糸巻付部上の糸巻付面に緯糸を巻き付け、前記糸巻付面と緯糸係止体との係脱作用により緯糸の測長貯留及び前記糸巻付面からの緯糸引き出し解舒を制御する緯糸測長貯留装置における風綿除去装置において、前記糸巻付部に設けられた空気流誘導部と、前記糸巻付アームの周回中心軸線上かつ前記糸巻付面の包囲領域の中心部で前記糸巻付アームと一体的に回転するファンとを備え、前記空気流誘導部は、前記ファンの回転によって発生された空気流を前記糸巻付面の包囲領域の中心側から周辺側へ誘導するようにした。
【００１５】
糸巻付アームの回転力を利用した空気流発生手段は簡便である。
請求項８の発明では、請求項２乃至請求項５のいずれか１項において、前記糸巻付アームと一体的に動く羽板を前記空気流発生手段とした。
【００１６】
糸巻付アームの回転力を利用した空気流発生手段は簡便である。
【００１７】
【発明の実施の形態】
以下、本発明を具体化した第１の実施の形態を図１〜図４に基づいて説明する。
【００１８】
１１はモータ内蔵部であり、モータ内蔵部１１内のモータ（図示略）の作動により回転軸１２が回転する。回転軸１２には管形状の糸巻付アーム１３が斜交して接続されている。図１に示すように回転軸１２内には基端から中間部にかけて糸通路１２１が形成されており、糸巻付アーム１３内の糸通路１３１が糸通路１２１に接続している。モータ内蔵部１１の前面には非磁性体製のカバー１４が止着されており、回転軸１２の先端部にはベアリング１６が取り付けられている。ベアリング１６は基板１５の中心部の取り付け孔１５３に嵌入して取り付けられている。即ち、非磁性体製の基板１５はベアリング１６を介して回転軸１２に相対回転可能に支持されている。回転軸１２に止着された糸巻付アーム１３はカバー１４と基板１５との間を周回する。
【００１９】
糸巻付アーム１３の周回軌道を挟んだカバー１４と基板１５との対向面１４１，１５１上には磁石２０，２１が対向配置されている。図３に示すように、磁石２０はテーパ形状の対向面１４１上に環状に配列されている。図４に示すように、磁石２１はテーパ形状の対向面１５１上に環状に配列されている。対向する磁石２０，２１の対向面は互いに異磁極であり、このような磁極配置によって対向する磁石２０，２１が互いに吸引する。対向する磁石２０，２１の吸引作用が回転する回転軸１２に支持された基板１５を静止状態に維持する。
【００２０】
基板１５の前面には複数の糸巻付面形成体１７がねじ１８により締め付け固定されている。複数の糸巻付面形成体１７（本実施の形態では４つ）は基板１５の周方向に配列されている。各糸巻付面形成体１７は略円筒面の糸巻付面を形成する。糸巻付アーム１３は、糸巻付面形成体１７と共に糸巻付部を構成する基板１５の周囲を周回し、糸通路１２１，１３１を通された緯糸Ｙが糸巻付面に巻き付けられる。
【００２１】
１つの糸巻付面形成体１７の近傍には電磁ソレノイド１９が配設されており、緯糸係止体１９１が電磁ソレノイド１９の励消磁により駆動される。緯糸係止体１９１は糸巻付面と係脱し、糸巻付アーム１３から繰り出される緯糸Ｙが緯糸係止体１９１の係止作用によって糸巻付面上に巻付貯留される。緯糸係止体１９１が糸巻付面から離脱すれば糸巻付面上の巻付糸の引き出しが可能となる。
【００２２】
カバー１４にはエアノズル２２が外周面側から対向面１４１側に向けて貫設されている。エアノズル２２は電磁開閉弁（図示略）を介して図示しない圧力エア供給源に接続されている。前記電磁開閉弁は間欠励磁され、エアノズル２２は糸巻付アーム１３の周回軌道を横切って基板１５の対向面１５１に向けてエアを噴射する。前記電磁開閉弁は、糸巻付アーム１３とエアノズル２２とが対向しないときに励磁され、エアノズル２２からの噴射エアが周回する糸巻付アーム１３と交差することはない。
【００２３】
基板１５の対向面１５１には円錐形状の導入口１５２が凹設されている。導入口１５２はエアノズル２２と対向しており、エアノズル２２からの空気流が導入口１５２内へ吹き入れられる。
【００２４】
基板１５内には誘導パイプ２３が導入口１５２に接続するように貫設されている。基板１５の前面には方向転換器２４が止着されている。方向転換器２４は、取り付け板２４１と、複数の側板２４２（糸巻付面形成体１７の個数と同数）と、衝立２４３と、複数の網２４４（糸巻付面形成体１７の個数と同数）とからなる。図２に示すように、網２４４は糸巻付面形成体１７の内周面側と対向するようにしてある。取り付け板２４１は取り付け孔１５３を塞ぐように基板１５の前面に止着されており、誘導パイプ２３が取り付け孔１５３及び取り付け板２４１を経由して方向転換器２４内に突入している。方向転換器２４内に突入している誘導パイプ２３の終端は、前記糸巻付面の包囲領域の中心部、即ち回転軸１２の中心軸線上に位置している。
【００２５】
エアノズル２２から導入口１５２内へ吹き入れられた空気流は誘導通路となる誘導パイプ２３を通って方向転換器２４内へ流入する。取り付け板２４１を貫通する誘導パイプ２３は衝立２４３の中心部を指向しており、誘導パイプ２３から方向転換器２４内へ流入した空気流は衝立２４３に衝突してから基板１５の半径方向へ向かう。基板１５の半径方向へ向かった空気流は、網２４４を通過して糸巻付面形成体１７の内周面側に吹き当たる。
【００２６】
第１の実施の形態では以下の効果が得られる。
（１-1）空気流発生手段を構成するエアノズル２２から噴射される空気は、糸巻付アーム１３の周回軌道を横切ってから誘導パイプ２３を介して糸巻付面の包囲領域の中心部にある方向転換器２４内へ誘導される。糸巻付面の内側の中心部に誘導された空気流は、方向転換手段である方向転換器２４を介して糸巻付面の包囲領域の中心側から周辺側へ向かう。糸巻付面の包囲領域の中心側から周辺側へ向かう空気流は前記包囲領域内における風綿堆積を防止する。エアノズル２２から前記包囲領域の周辺に至る空気流の経路は、糸巻付面に巻き付けられる緯糸Ｙの巻付軌跡を横切らず、かつ前記糸巻付面から引き出し解舒される緯糸Ｙの解舒軌跡を横切らない。従って、糸巻付アーム１３から繰り出されて糸巻付面に巻付られようとしている緯糸Ｙ、及び糸巻付面から引き出し解舒されている緯糸Ｙがエアノズル２２から前記包囲領域内に至る空気流に晒されることはない。その結果、緯糸の緯入れ性を損なうことなく糸巻付面の包囲領域内における風綿堆積が防止される。
（１-2）誘導パイプ２３及び方向転換器２４と共に空気誘導部を構成する導入口１５２は、糸巻付アーム１３の周回領域を挟んで離れた位置にあるエアノズル２２からの噴射エアを効率良く誘導パイプ２３内へ収束誘導する。
（１-3）糸巻付面形成体１７はねじ１８を緩めることによって基板１５の半径方向へ取り付け位置を変えられ、織布の織幅の変更に応じた緯糸測長量の変更が行える。前記包囲領域の中心部に配置された方向転換器２４は、誘導パイプ２３から前記包囲領域の中心部に吹き出す空気流を包囲領域の周辺側へ方向転換する。糸巻付面形成体１７の取り付け位置が変わっても、包囲領域の周辺側へ方向転換された空気流が糸巻付面形成体１７の内側への風綿堆積を防止する。
（１-4）糸巻付面上の巻付緯糸の整列状態は緯入れ性に影響を与え、前記整列状態が乱れると緯入れミスが発生し易くなる。網２４４を通過した空気流は各糸巻付面形成体１７に向かい、方向転換器２４は糸巻付面形成体１７にのみ向けて空気流を方向転換する。このように空気流を方向転換させる構成は、糸巻付面に巻き付けられた緯糸Ｙの巻き付け姿勢に対する空気流の作用の影響を抑制する。
（１-5）方向転換器２４を構成する衝立２４３が誘導パイプ２３から吹き出す空気流を方向転換するが、このような方向転換作用をもたらす衝立２４３を備えた方向転換手段は簡便である。
（１-6）エアノズル２２から糸巻付アーム１３の周回軌道を横切って導入口１５２へ吹き入れられる空気流は、圧力エアの圧力を利用して生成される。従って、エアノズル２２から噴射される空気流の流速、流量の選択自由度が高く、糸巻付面の包囲領域内における風綿堆積防止に適した流速、流量の選択設定が容易になる。
（１-7）糸巻付アーム１３に遮られるエアノズル２２からの空気流は糸巻付面の包囲領域内の風綿堆積の防止に寄与し得ず、エアノズル２２と糸巻付アーム１３とが対向する状態でエアノズル２２から噴射されるエアは無駄になる。エアノズル２２と糸巻付アーム１３とが対向する状態ではエアノズル２２からエアを噴射させない構成は、圧力エアの浪費の防止となる。
【００２７】
エアノズル２２の経路形状、誘導パイプ２３の経路形状及び導入口１５２の形状は、図５に示す第２の実施の形態のようにしてもよい。
次に、図６及び図７の第３の実施の形態を説明する。第１の実施の形態と同じ構成部には同じ符号が付してある。
【００２８】
この実施の形態では、回転軸１２の先端面にねじ軸２５が螺着されている。ねじ軸２５はロックナット２６の締め付けによって回転軸１２に固定されている。ねじ軸２５の先端部は取り付け板２４１を貫通して方向転換器２４内に突入しており、方向転換器２４内のねじ軸２５の先端部には図７に示すファン２７が止着されている。ねじ軸２５及びファン２７は回転軸１２及び糸巻付アーム１３と一体的に回転する。糸巻付アーム１３の周回中心軸線上かつ前記糸巻付面の包囲領域の中心部で糸巻付アーム１３と一体的に回転するファン２７は衝立２４３に向かう空気流を発生する。空気流発生手段となるファン２７によって生成された空気流は、衝立２４３に当たって糸巻付面の包囲領域の中心側から周辺側へ方向転換される。
【００２９】
ファン２７は、糸巻付アーム１３の回転力を利用した空気流発生手段であるが、このような糸巻付アーム１３の回転力を利用した空気流発生手段は簡便である。
【００３０】
なお、衝立の形状としては図８に示す第４の実施の形態のようにしてもよい。衝立２４５は、お碗形状の中心部を外側から内側へ窪ませた形状にしてある。このような形状の衝立２４５は空気流を効率良く方向転換させる。
【００３１】
次に、図９の第５の実施の形態を説明する。第２の実施の形態と同じ構成部には同じ符号が付してある。
この実施の形態では、糸巻付アーム１３と同形同大のバランスウェイト２８が回転軸１２に止着されている。バランスウェイト２８と糸巻付アーム１３とは回転軸１２を挟んだ対称位置に配置されており、糸巻付アーム１３の円滑な回転性の向上が図られている。糸巻付アーム１３及びバランスウェイト２８には羽板２９，３０が止着されている。導入口１５２は、糸巻付アーム１３及びバランスウェイト２８と一体的に回転する羽板２９，３０の周回軌道と対向し、羽板２９，３０の周回によって生成される空気流の一部が導入口１５２に吹き入れられる。導入口１５２に吹き入れられた空気流は糸巻付面の包囲領域内の風綿堆積を防止する。
【００３２】
羽板２９，３０は、糸巻付アーム１３の回転力を利用した空気流発生手段であるが、このような糸巻付アーム１３の回転力を利用した空気流発生手段は簡便である。
【００３３】
本発明では以下のような実施の形態も可能である。
（１）第１及び第２の実施の形態において、エアノズル２２が常時エア噴射するようにすること。
（２）第１及び第２の実施の形態において、製織停止時にはエアノズル２２がエア噴射を停止するようにすること。
（３）第１及び第２の実施の形態において、エアノズル２２が常時エア噴射するようにし、製織停止時には糸巻付アーム１３の周回は停止されるが、糸巻付アーム１３がエアノズル２２と対向しない位置を糸巻付アーム１３の停止位置とすること。
【００３４】
【発明の効果】
以上詳述したように本発明では、糸巻付面に巻き付けられる緯糸の巻付軌跡及び糸巻付面から引き出し解舒される緯糸の解舒軌跡を横切ることなく空気流誘導部に空気流を吹き入れ、前記空気流誘導部内に導入された空気流を前記糸巻付面の包囲領域の中心側から周辺側へ誘導するようにしたので、緯糸の緯入れ性を損なうことなく糸巻付面の内側における風綿堆積を防止し得るという優れた効果を奏する。
【図面の簡単な説明】
【図１】本発明を具体化した第１の実施の形態を示す側断面図。
【図２】要部拡大断面図を組み込んだ正面図。
【図３】図１のＡ−Ａ線断面図。
【図４】図１のＢ−Ｂ線断面図。
【図５】第２の実施の形態を示す側断面図。
【図６】第３の実施の形態を示す側断面図。
【図７】ファンの斜視図。
【図８】第４の実施の形態を示す要部拡大側断面図。
【図９】第５の実施の形態を示す側断面図。
【符号の説明】
１３…糸巻付アーム、１５２…導入口、１７…糸巻付面形成体、２２…空気流発生手段を構成するエアノズル、２３…空気流誘導部を構成する誘導パイプ、２４…方向転換手段となる方向転換器、２４３，２４５…衝立、２７…空気流発生手段を構成するファン。
【図１】
0003893779.tif 000002
【図２】
0003893779.tif 000003
【図３】
0003893779.tif 000004
【図４】
0003893779.tif 000005
【図５】
0003893779.tif 000006
【図６】
0003893779.tif 000007
【図７】
0003893779.tif 000008
【図８】
0003893779.tif 000009
【図９】
0003893779.tif 000010